(57)【要約】【課題】電力消費を抑制しつつ、シートを安定して搬送すること。【解決手段】ベルト２３のうち上記中間部分は、上記先端部分に比べて、シートが不安定になりにくく、先端部分と同等の大きさの吸着バイアスによって電荷を付与する必要性は低い。そこで、プリンタ１は、中間部分が転写位置Ｘ１にあるとき、先端部分が転写位置Ｘ１にあるときよりも吸着バイアスを小さくする。これにより、ベルトのうち搬送部分の全長に亘って、一定の吸着バイアスを印加する構成に比べて電力消費を抑制しつつ、シートを安定して搬送することができる。【選択図】図５
2015161923.tif 000002
【特許請求の範囲】
【請求項１】
ベルトと、
吸着部と、
印加部と、
制御部と、を備え、
前記制御部は、
前記ベルトを回動させて、シートを搬送する搬送処理と、
前記ベルトのうち、搬送方向におけるシートの先端が位置する先端部分が、前記ベルトと前記吸着部との対向位置にあるとき、前記印加部から前記吸着部に吸着バイアスを印加させて前記先端部分に電荷を付与する先端処理と、
前記ベルトのうち、前記先端部分と、シートの後端が位置する後端部分との間に位置する中間部分が前記対向位置にあるとき、前記先端部分が前記対向位置にあるときよりも、前記吸着バイアスを小さくする中間処理と、を実行する、画像形成装置。
【請求項２】
請求項１に記載の画像形成装置であって、
像担持体を備え、
前記吸着部は、前記ベルトを介して前記像担持体と対向する転写体を有し、
前記制御部は、
前記印加部から前記転写体に転写バイアスを印加させて、当該像担持体に形成されたトナー像を、前記ベルト側に転写する転写処理を実行し、
前記先端処理における前記吸着バイアスは、前記転写バイアスよりも小さい、画像形成装置。
【請求項３】
請求項１または２に記載の画像形成装置であって、
前記搬送方向に沿って並ぶ複数の像担持体を備え、
前記吸着部は、前記ベルトを介して前記複数の像担持体それぞれと対向する複数の転写体を有し、
前記制御部は、
前記複数の転写体のうち一部の転写体である形成転写体に、前記印加部から転写バイアスを印加させて、当該形成転写体に対向する像担持体に形成されたトナー像を、前記ベルト側に転写する転写処理を実行し、
前記転写処理の対象でない非形成転写体のうち少なくとも１つに対して、前記先端処理および前記中間処理を実行する、画像形成装置。
【請求項４】
請求項３に記載の画像形成装置であって、
前記先端処理および前記中間処理を実行する前記非形成転写体は、前記形成転写体よりも前記搬送方向の上流に位置する非形成転写体である、画像形成装置。
【請求項５】
請求項４に記載の画像形成装置であって、
前記制御部は、
前記ベルトのうちシート全体が位置する搬送部分が、前記形成転写体よりも前記搬送方向の下流に位置する少なくとも１つの非形成転写体と前記ベルトとの対向位置にある間、当該非形成転写体に対して、前記印加部から前記転写バイアス以下のバイアスを印加する下流側処理を実行する、画像形成装置。
【請求項６】
請求項３から５のいずれか一項に記載の画像形成装置であって、
前記複数の転写体それぞれに対応する複数の帯電部を備え、
前記制御部は、
前記印加部から前記非形成転写体に対応する帯電部に帯電バイアスを印加させて、当該非形成転写体に対向する像担持体を帯電させる非形成帯電処理を実行する、画像形成装置。
【請求項７】
請求項６に記載の画像形成装置であって、
前記制御部は、
前記印加部から前記形成転写体に対応する帯電部に帯電バイアスを印加させて、当該形成転写体に対向する像担持体を帯電させる形成帯電処理を実行し、
前記非形成帯電処理における帯電バイアスは、前記形成帯電処理における帯電バイアスより小さい、画像形成装置。
【請求項８】
請求項６または７に記載の画像形成装置であって、
前記制御部は、
前記非形成帯電処理において像担持体を帯電させる範囲は、前記ベルトのうち前記非形成転写体によって電荷が付与される部分と前記対向位置で重なる範囲である、画像形成装置。
【請求項９】
請求項３から５のいずれか一項に記載の画像形成装置であって、
前記複数の転写体それぞれに対応する複数の帯電部を備え、
前記制御部は、
前記印加部から前記非形成転写体に対応する帯電部に帯電バイアスを印加しない、画像形成装置。
【請求項１０】
請求項３から９のいずれか一項に記載の画像形成装置であって、
前記制御部は、
前記先端処理において、前記先端処理および前記中間処理を実行する前記非形成転写体が複数ある場合、前記搬送方向の下流側に位置する前記先端処理および前記中間処理を実行する非形成転写体ほど、前記吸着バイアスを小さくすること、および、前記吸着バイアスによって電荷が付与される範囲を狭くすることの少なくとも一方を行う、画像形成装置。
【請求項１１】
請求項１から１０のいずれか一項に記載の画像形成装置であって、
前記制御部は、
前記ベルトのうち、搬送方向におけるシートの後端が位置する後端部分が、前記対向位置にあるとき、前記中間部分が前記対向位置にあるときよりも、前記印加部から前記吸着部に大きい吸着バイアスを印加させて前記後端部分に電荷を付与する後端処理を実行する、画像形成装置。
【請求項１２】
請求項１から１１のいずれか一項に記載の画像形成装置であって、
前記制御部は、
前記中間処理において、前記印加部から前記吸着部に吸着バイアスを印加させない、画像形成装置。
【請求項１３】
画像形成装置が有するベルトを回動させて、シートを搬送する搬送工程と、
前記ベルトのうち、搬送方向におけるシートの先端が位置する先端部分が、前記ベルトと、前記画像形成装置が有する吸着部との対向位置にあるとき、前記画像形成装置が有する印加部から前記吸着部に吸着バイアスを印加させて前記先端部分に電荷を付与する先端工程と、
前記ベルトのうち、前記搬送方向におけるシートの前記先端部分と、前記搬送方向におけるシートの後端が位置する後端部分との間に位置する中間部分が前記対向位置にあるとき、前記先端部分が前記対向位置にあるときよりも、前記吸着バイアスを小さくする中間工程と、を含む、シート搬送方法。
【請求項１４】
ベルト、吸着部および印加部を備える画像形成装置に、
前記ベルトを回動させて、シートを搬送する搬送処理と、
前記ベルトのうち、搬送方向におけるシートの先端が位置する先端部分が、前記ベルトと、前記吸着部との対向位置にあるとき、前記印加部から前記吸着部に吸着バイアスを印加させて前記先端部分に電荷を付与する先端処理と、
前記ベルトのうち、前記搬送方向におけるシートの前記先端部分と、前記搬送方向におけるシートの後端が位置する後端部分との間に位置する中間部分が前記対向位置にあるとき、前記先端部分が前記対向位置にあるときよりも、前記吸着バイアスを小さくする中間処理と、を実行させる、シート搬送プログラム。
【発明の詳細な説明】
【技術分野】
【０００１】
画像形成装置が有するベルトに電荷を付与して、当該ベルトにシートを電気的に吸着させる技術に関する。
【背景技術】
【０００２】
従来から、シートを安定して搬送するために、搬送ベルトに電荷を付与して、当該搬送ベルトにシートを電気的に吸着させる機能を有する画像形成装置がある（特許文献１）。具体的には、この画像形成装置は、電荷付与部、および、導電性接地ローラを有し、電荷付与部にバイアスを印加することで搬送ベルトに電荷を付与して、搬送ベルトと導電性接地ローラとが対向する対向位置で、シートを搬送ベルトに吸着させる。また、この画像形成装置は、ベルトのうちシート全体が位置する搬送部分が上記対向位置にある期間の全体に亘って、電荷付与部に一定のバイアスを印加し続ける。
【先行技術文献】
【特許文献】
【０００３】
【特許文献１】特開２００２−１６９３８５号公報
【発明の概要】
【発明が解決しようとする課題】
【０００４】
しかし、従来の画像形成装置は、上記搬送部分が上記対向位置にある期間の全体に亘って、電荷付与部に一定のバイアスを印加し続けるため、その分だけ、電力が消費されてしまうという問題がある。
【０００５】
本明細書では、電力消費を抑制しつつ、シートを安定して搬送することが可能な技術を開示する。
【課題を解決するための手段】
【０００６】
本明細書によって開示される画像形成装置は、ベルトと、吸着部と、印加部と、制御部と、を備え、前記制御部は、前記ベルトを回動させて、シートを搬送する搬送処理と、前記ベルトのうち、搬送方向におけるシートの先端が位置する先端部分が、前記ベルトと前記吸着部との対向位置にあるとき、前記印加部から前記吸着部に吸着バイアスを印加させて前記先端部分に電荷を付与する先端処理と、前記ベルトのうち、前記先端部分と、シートの後端が位置する後端部分との間に位置する中間部分が前記対向位置にあるとき、前記先端部分が前記対向位置にあるときよりも、前記吸着バイアスを小さくする中間処理と、を実行する。
【０００７】
ベルトのうち、シートの中間が位置する中間部分は、シートの先端が位置する先端部分に比べて、シートが不安定になりにくく、先端部分と同等レベルの吸着バイアスによって電荷を付与する必要性は低い。そこで、この画像形成装置は、中間部分が対向位置にあるとき、先端部分が対向位置にあるときよりも吸着バイアスを小さくする。これにより、ベルトのうち、シートを搬送する搬送部分の全長に亘って、一定のバイアスを吸着部に印加する構成に比べて電力消費を抑制しつつ、シートを安定して搬送することができる。
【０００８】
上記画像形成装置では、像担持体を備え、前記吸着部は、前記ベルトを介して前記像担持体と対向する転写体を有し、前記制御部は、前記印加部から前記転写体に転写バイアスを印加させて、当該像担持体に形成されたトナー像を、前記ベルト側に転写する転写処理を実行し、前記先端処理における前記吸着バイアスは、前記転写バイアスよりも小さくてもよい。
【０００９】
この画像形成装置によれば、先端処理における吸着バイアスが転写バイアスと同等の大きさである構成に比べて、電力消費を抑制することができる。
【００１０】
上記画像形成装置では、前記搬送方向に沿って並ぶ複数の像担持体を備え、前記吸着部は、前記ベルトを介して前記複数の像担持体それぞれと対向する複数の転写体を有し、前記制御部は、前記複数の転写体のうち一部の転写体である形成転写体に、前記印加部から転写バイアスを印加させて、当該形成転写体に対向する像担持体に形成されたトナー像を、前記ベルト側に転写する転写処理を実行し、前記転写処理の対象でない非形成転写体のうち少なくとも１つに対して、前記先端処理および前記中間処理を実行してもよい。
【００１１】
この画像形成装置によれば、一部の形成転写体によってトナー像をシートに転写させつつ、非形成転写体によって、電力消費を抑制しつつ、シートを安定して搬送することができる。
【００１２】
上記画像形成装置では、前記先端処理および前記中間処理を実行する前記非形成転写体は、前記形成転写体よりも前記搬送方向の上流に位置する非形成転写体でもよい。
【００１３】
この画像形成装置によれば、非形成転写体によってシートの搬送を安定させた後に、形成転写体によってトナー像をシートに転写させることができる。
【００１４】
上記画像形成装置では、前記制御部は、前記ベルトのうちシート全体が位置する搬送部分が、前記形成転写体よりも前記搬送方向の下流に位置する少なくとも１つの非形成転写体と前記ベルトとの対向位置にある間、当該非形成転写体に対して、前記印加部から前記転写バイアス以下のバイアスを印加する下流側処理を実行してもよい。
【００１５】
この画像形成装置によれば、形成転写体よりも下流に位置する非転写体において、シートに形成されたトナーが逆転写することを抑制することができる。
【００１６】
上記画像形成装置では、前記複数の転写体それぞれに対応する複数の帯電部を備え、前記制御部は、前記印加部から前記非形成転写体に対応する帯電部に帯電バイアスを印加させて、当該非形成転写体に対向する像担持体を帯電させる非形成帯電処理を実行してもよい。
【００１７】
この画像形成装置によれば、非形成転写体に対向する像担持体を帯電させない場合に比べて、像担持体が劣化することを抑制することができる。
【００１８】
上記画像形成装置では、前記制御部は、前記印加部から前記形成転写体に対応する帯電部に帯電バイアスを印加させて、当該形成転写体に対向する像担持体を帯電させる形成帯電処理を実行し、前記非形成帯電処理における帯電バイアスは、前記形成帯電処理における帯電バイアスより小さくてもよい。
【００１９】
この画像形成装置によれば、非形成帯電処理における帯電バイアスが、形成帯電処理における帯電バイアスと同じである場合に比べて、電力消費を抑制することができる。
【００２０】
上記画像形成装置では、前記制御部は、前記非形成帯電処理において像担持体を帯電させる範囲は、前記ベルトのうち前記非形成転写体によって電荷が付与される部分と前記対向位置で重なる範囲でもよい。
【００２１】
この画像形成装置によれば、非形成帯電処理に使用する電力消費を、より効果的に抑制することができる。
【００２２】
上記画像形成装置では、前記複数の転写体それぞれに対応する複数の帯電部を備え、前記制御部は、前記印加部から前記非形成転写体に対応する帯電部に帯電バイアスを印加しなくてもよい。
【００２３】
この画像形成装置によれば、非形成転写体に吸着バイアスを印加しても、シートの抵抗成分によって、像担持体の劣化が抑制される。これより、非形成転写体に対応する帯電部に帯電バイアスを印加する場合に比べて、電力消費を抑えつつ、像担持体の劣化を抑制することができる。
【００２４】
上記画像形成装置では、前記制御部は、前記先端処理において、前記先端処理および前記中間処理を実行する前記非形成転写体が複数ある場合、前記搬送方向の下流側に位置する前記先端処理および前記中間処理を実行する非形成転写体ほど、前記吸着バイアスを小さくすること、および、前記吸着バイアスによって電荷が付与される範囲を狭くすることの少なくとも一方を行ってもよい。
【００２５】
シートは、搬送方向の上流側に位置する非形成転写体によって電荷が付与されるため、下流側に位置する非形成転写体では吸着バイアスによる吸着力を弱めても、シートの搬送が不安定になりにくい。そこで、この画像形成装置によれば、電力消費を抑えつつ、シートを安定して搬送することができる。
【００２６】
上記画像形成装置では、前記制御部は、前記ベルトのうち、搬送方向におけるシートの後端が位置する後端部分が、前記対向位置にあるとき、前記中間部分が前記対向位置にあるときよりも、前記印加部から前記吸着部に大きい吸着バイアスを印加させて前記後端部分に電荷を付与する後端処理を実行してもよい。
【００２７】
この画像形成装置によれば、後端部分に電荷を付与しない場合に比べて、シートを安定して搬送することができる。
【００２８】
上記画像形成装置では、前記制御部は、前記中間処理において、前記印加部から前記吸着部に吸着バイアスを印加させなくてもよい。
【００２９】
この画像形成装置によれば、電力消費を、より効果的に抑制することができる。
【００３０】
なお、この発明は、画像形成装置、シート搬送方法、これらの方法または装置の機能を実現するためのコンピュータプログラム、そのコンピュータプログラムを記録した不揮発性の記録媒体等の種々の態様で実現することができる。
【発明の効果】
【００３１】
本明細書によって開示される発明によれば、電力消費を抑制しつつ、シートを安定して搬送することができる。
【図面の簡単な説明】
【００３２】
【図１】一実施形態に係るプリンタの機械的構成を示す概要図
【図２】プリンタの電気的構成を示すブロック図
【図３】制御処理を示すフローチャート
【図４】バイアス制御処理を示すフローチャート
【図５】吸着処理を示すフローチャート
【図６】シートの搬送位置とバイアスとの関係を示すタイムチャート
【発明を実施するための形態】
【００３３】
一実施形態のプリンタ１について図１〜図６を参照しつつ説明する。以下の説明では、同図の紙面右側をプリンタ１の前側（Ｆ）とし、紙面奥側をプリンタ１の右側（Ｒ）とし、紙面上側をプリンタ１の上側（Ｕ）とする。プリンタ１は、例えば４色（ブラック、イエロー、マゼンタ、シアン）を用いてカラー画像を形成可能な直接転写タンデム方式のカラーレーザプリンタである。プリンタ１は、画像形成装置の一例である。以下の説明では、プリンタ１の各構成部品や用語を色毎に区別する場合、その構成部品等の符号の末尾に各色を意味するＫ（ブラック）、Ｙ（イエロー）、Ｍ（マゼンタ）、Ｃ（シアン）を付すものとする。図１では、各色間で同一の構成部品については、適宜符号が省略されている。
【００３４】
プリンタ１は、供給部２、画像形成部３、搬送機構４、定着部５、離間機構６、および、センサ７を備える。
【００３５】
供給部２は、プリンタ１の最下部に設けられ、複数枚のシートＷを収容可能なトレイ１１、ピックアップローラ１２、搬送ローラ１３，および、レジストレーションローラ１４を有する。トレイ１１に収容されたシートＷは、ピックアップローラ１２により１枚ずつ取り出され、搬送ローラ１３，レジストレーションローラ１４を介して搬送機構４に送られる。
【００３６】
搬送機構４は、シートＷを搬送するためのものであり、ベルト２３が駆動ローラ２１と従動ローラ２２との間に架け渡された構成である。駆動ローラ２１が回動すると、ベルト２３は、感光ドラム３４と対向する側の表面が、図１上の左方向へ移動する。これにより、レジストレーションローラ１４から送られてきたシートＷが、画像形成部３から定着部５へと搬送される。なお、ベルト２３は、導電性を有する材料で形成されている。ベルト２３内には、後述する４つの転写ローラ２４Ｋ〜２４Ｃが、シートＷの搬送方向に沿って、すなわち左右方向に並んでいる。
【００３７】
画像形成部３は、４個のプロセス部３１Ｋ〜３１Ｃおよび４個の露光部３２を有する。４個のプロセス部３１Ｋ〜３１Ｃは、上記搬送方向に沿って並んでいる。以下、４個のプロセス部３１Ｋ〜３１Ｃは、トナーの色以外は、同様の構成であるものとし、ブラックに対応するプロセス部３１Ｋを例に挙げて具体的構成を説明する。
【００３８】
プロセス部３１Ｋは、転写ローラ２４Ｋ、帯電器３３Ｋ、感光ドラム３４Ｋ、ケース３５、現像ローラ３６Ｋ、および、供給ローラ３８を有する。感光ドラム３４Ｋは像担持体の一例である。
【００３９】
感光ドラム３４Ｋは、例えば、アルミニウム製の基材上に、正帯電性の感光層が形成されたものである。帯電器３３Ｋは、例えばスコロトロン型またはコロトロン型の帯電器であり、後述する正極性の印刷時帯電バイアスＶＣ１等が印加されると、感光ドラム３４Ｋの表面を一様に帯電させる。
【００４０】
露光部３２は、例えば、感光ドラム３４Ｋの回転軸方向に沿って一列状に並んだ複数の発光素子（例えばＬＥＤ）を有し、複数の発光素子を、後述する印刷命令に対応する画像データに応じて発光制御することにより、感光ドラム３４Ｋの表面に静電潜像を形成する。なお、露光部３２はＬＥＤ方式に限らず、ポリゴンスキャニング方式などでもよい。
【００４１】
ケース３５Ｋは、各色の例えば正帯電性のトナーを収納する。供給ローラ３８は、回転することによって、ケース３５Ｋ内のトナーを現像ローラ３６Ｋに供給する。これにより、トナーは、供給ローラ３８Ｋと現像ローラ３６Ｋとの間で正に摩擦帯電される。そして、現像ローラ３６Ｋは、その正帯電されたトナーを感光ドラム３４Ｋ上へ供給することによって静電潜像を現像して、感光ドラム３４Ｋ上にブラックのトナー像を形成する。
【００４２】
転写ローラ２４Ｋは、ベルト２３を介して、感光ドラム３４Ｋに対向するように配置されている。転写ローラ２４Ｋとベルト２３との対向位置は、対向位置の一例であり、以下、転写ローラ２４Ｋとベルト２３との対向位置を転写位置Ｘ１Ｋという。また、以下、感光ドラム３４の回転方向において、帯電器３３Ｋが感光ドラム３４Ｋを帯電する帯電位置から後述する転写位置Ｘ１Ｋまでの距離を、帯電転写距離Ｌ１Ｋいう。転写ローラ２４Ｋは、感光ドラム３４Ｋとの間にトナーの帯電極性とは逆極性（ここでは、負極性）の転写バイアスＶＴ１が印加されることで、感光ドラム３４上に形成されたトナー像をシートＷに転写する。転写ローラ２４Ｋは、吸着部、および、転写体の一例である。
【００４３】
こうして各色のトナー像が転写されたシートＷは、搬送機構４により定着部５へと搬送され、定着部５にてトナー像が熱定着され、プリンタ１の上面に排出される。
【００４４】
離間機構６は、ＣＰＵ４１の制御により、４つのプロセス部３１Ｋ〜３１Ｃを個別に変位させる。具体的には、離間機構６は、各プロセス部３１を、現像ローラ３６が感光ドラム３４に接触または接近してトナーを供給可能な現像可能位置（図１参照）と、現像ローラ３６が感光ドラム３４から離間してトナーを供給不能な現像不能位置とに変位させることができる。
【００４５】
センサ７は、レジストレーションローラ１４と搬送機構４との間の検出位置Ｘ２におけるシートＷの有無に応じた検出信号を出力する。なお、このセンサ７によるシートＷの先端の検知タイミングに基づいて、各プロセス部３１がシートＷに画像を書き出すタイミングが決定される。以下、検出位置Ｘ２から転写位置Ｘ１までの距離を、検出転写距離Ｌ２という。
【００４６】
図２に示すように、プリンタ１は、上述した供給部２，画像形成部３、搬送機構４、離間機構６，センサ７などに加え、中央処理装置（以下、ＣＰＵ）４１、ＲＯＭ４２、ＲＡＭ４３、不揮発性メモリ４４、ＡＳＩＣ（Application Specific Integrated Circuit）４５、表示部４６、受付部４７、バイアス印加部４８を有する。
【００４７】
ＲＯＭ４２には、各種のプログラムが記憶されており、各種のプログラムには、例えば、後述する制御処理等を実行するためのプログラムや、プリンタ１の各部の動作を制御するためのプログラムが含まれる。ＲＡＭ４３は、ＣＰＵ４１が各種のプログラムを実行する際の作業領域や、データの一時的な記憶領域として利用される。不揮発性メモリ４４は、ＮＡＶＲＡＭ、フラッシュメモリ、ＨＤＤ、ＥＰＰＲＯＭなどの書き換え可能なメモリであればよい。
【００４８】
ＣＰＵ４１は、制御部の一例である。ＣＰＵ４１は、ＲＯＭ４２から読み出したプログラムに従って、プリンタ１の各部を制御する。ＡＳＩＣ４５は、例えば画像処理専用のハード回路である。表示部４６は、液晶ディスプレイやランプ等を有し、各種の設定画面や装置の動作状態等を表示することが可能である。受付部４７は、複数のボタンを有し、ユーザによる各種の入力指示を受け付け可能な操作部や、無線通信方式または有線通信方式により、図示しない外部装置と通信を行う通信部などである。
【００４９】
バイアス印加部４８は、印加部の一例であり、現像ローラ３６に対して現像バイアスを印加し、帯電器３３に対して上記印刷時帯電バイアスＶＣ１等のバイアスＶＣを印加し、転写ローラ２４に対して上記転写バイアスＶＴ１等のバイアスＶＴを印加する。また、バイアス印加部４８は、ＣＰＵ４１の制御により、各バイアスＶＣ、ＶＴのバイアス値を変更可能である。
【００５０】
図３から図６を参照して、ＣＰＵ４１が実行する制御内容について説明する。プリンタ１の電源がオンされると、ＣＰＵ４１は、図３に示すように、受付部４７が印刷命令を受け付けたか否かを判断する（Ｓ１）。この印刷命令には、カラー印刷であるかモノクロ印刷であるかの指定や、シートの印刷枚数等に関する情報が含まれるものとする。
【００５１】
ＣＰＵ４１は、印刷命令を受け付けていないと判断したことに応じて（Ｓ１：ＮＯ）待機し、印刷命令を受け付けたと判断したことに応じて（Ｓ１：ＹＥＳ）、供給部２および搬送機構４に、トレイ１１に収容されているシートＷを搬送する動作を開始させる（Ｓ２）。このＳ２の処理は搬送処理、搬送工程の一例である。その後、ＣＰＵ４１は、バイアス制御処理を実行する（Ｓ３）。
【００５２】
図４を参照して、バイアス制御処理について説明する。このバイアス制御処理は、ＣＰＵ４１により、プロセス部３１Ｋ〜３１Ｃそれぞれに対して個別に実行される処理であり、各プロセス部３１が有する転写ローラ２４および帯電器３３にどのようなバイアスを印加するかを決定する処理である。以下、バイアス制御処理について、マゼンタのプロセス部３１Ｍを例に挙げて説明する。
【００５３】
ＣＰＵ４１は、転写ローラ２４Ｍが吸着処理の実行条件を満たすか否かを判断する（Ｓ１１，Ｓ１２）。この実行条件は、転写ローラ２４Ｍが、上記印刷命令に基づく印刷処理の使用対象でなく、かつ、印刷処理の使用対象である他の転写ローラ２４よりも搬送方向の上流に位置することとする。
【００５４】
具体的には、ＣＰＵ４１は、転写ローラ２４Ｍが印刷処理の使用対象であるか否かを判断する（Ｓ１１）。ＣＰＵ４１は、例えば印刷命令でカラー印刷が指定されていれば、転写ローラ２４Ｍは印刷処理の使用対象であると判断する。このとき、転写ローラ２４Ｍは形成転写体の一例である。一方、ＣＰＵ４１は、例えば印刷命令でモノクロ印刷が指定されていれば、転写ローラ２４Ｍは印刷処理の使用対象でないと判断する。このとき、転写ローラ２４Ｍは非形成転写体の一例である。
【００５５】
ＣＰＵ４１は、転写ローラ２４Ｍが印刷処理の使用対象であると判断したことに応じて（Ｓ１１：ＹＥＳ）、プロセス部３１Ｍに、マゼンタのトナー像をシートＷに形成させる動作を行わせる形成処理を実行する。つまり、転写ローラ２４Ｍは、吸着処理の実行条件を満たさないため、当該転写ローラ２４Ｍに対して吸着処理は実行されない。
【００５６】
具体的には、図６の上から２段目のタイムチャートに示すように、ＣＰＵ４１は、バイアス印加部４８に、帯電器３３Ｍに対して、上述した印刷時帯電バイアスＶＣ１を印加する動作を開始させる（Ｓ１５）。この処理は形成帯電処理の一例である。印刷時帯電バイアスＶＣ１は、形成帯電処理時における帯電バイアスの一例であり、現像ローラ３６Ｍからのトナーが付着しない程度に、感光ドラム３４Ｍの表面を帯電させることが可能な大きさであり、例えば５ｋＶ〜８ｋＶである。
【００５７】
また、図６の上から３段目のタイムチャートに示すように、ＣＰＵ４１は、バイアス印加部４８に、転写ローラ２４Ｍに対して、上述した転写バイアスＶＴ１を印加する動作を開始させる（Ｓ１５）。転写バイアスＶＴ１は、転写バイアスの一例であり、感光ドラム３４Ｍ上に形成されたトナー像をシートＷに転写することが可能な程度の大きさであり、例えば−８ｋＶである。なお、図６では、ＣＰＵ４１は、Ｓ１５の処理を、例えば搬送方向におけるシートＷの先端が検出位置Ｘ２に到達する前に開始している例が示されている。しかし、これに限らず、ＣＰＵ４１は、Ｓ１５の処理を、シートＷの先端が検出位置Ｘ２を通過後、転写位置Ｘ１Ｍに到達する前に開始してもよい。
【００５８】
次に、ＣＰＵ４１は、露光部３２に、帯電した感光ドラム３４Ｍの表面に静電潜像を形成させる（Ｓ１６）。すると、その静電潜像は、現像バイアスが印加された現像ローラ３６Ｍによって現像されてマゼンタのトナー像になる。そして、そのトナー像は、上記転写バイアスＶＴ１が印可された転写ローラ２４ＭによってシートＷに転写される（Ｓ１６）。上記Ｓ１５、Ｓ１６の処理は転写処理の一例である。
【００５９】
ＣＰＵ４１は、Ｓ１６の処理の実行後、次のシートＷに対する印刷処理に備えて、印刷時帯電バイアスＶＣ１および転写バイアスＶＴ１を維持したまま図３のＳ４に進む。
【００６０】
図４のＳ１１で、ＣＰＵ４１は、転写ローラ２４Ｍが印刷処理の使用対象でないと判断したことに応じて（Ｓ１１：ＮＯ）、当該転写ローラ２４Ｍは、印刷処理の使用対象である転写ローラ２４よりも搬送方向の上流に位置するか否かを判断する（Ｓ１２）。例えば転写ローラ２４Ｃだけが印刷処理の使用対象であれば、転写ローラ２４Ｍは吸着処理の実行条件を満たすことになり、ＣＰＵ４１は、肯定判断し（Ｓ１２：ＹＥＳ）、これに応じて、吸着処理を実行する（Ｓ１３）。
【００６１】
図５を参照して吸着処理について説明する。ＣＰＵ４１は、離間機構６に、現像ローラ３６Ｍを現像不能位置に変位させる動作を行わせる（Ｓ２１）。これにより、マゼンタのトナーが感光ドラム３４Ｍ、ひいてはシートＷに付着することを抑制することができる。
【００６２】
次に、ＣＰＵ４１は、ベルト２３のうち、シートＷの先端が位置することが想定される先端部分が帯電開始位置Ｘ３Ｍに到達したか否かを判断する（Ｓ２２）。ここで、先端部分は、ベルト２３のうち、シートＷ全体が位置する搬送部分の先端からＬＦまでの部分であり、後端部分は、搬送部分の後端から、先端に向かってＬＢまでの部分である。この帯電開始位置Ｘ３Ｍは、図１に示すように、転写位置Ｘ１Ｍよりも帯電転写距離Ｌ１Ｍだけ上流の位置である。具体的には、ＣＰＵ４１は、センサ７からの検出信号に基づき、シートＷの先端が検出位置Ｘ２に到達した否かを判断する。
【００６３】
そして、ＣＰＵ４１は、シートＷの先端が検出位置Ｘ２に到達したと判断した時点から（図６のＴ１参照）、搬送機構４が、シートＷを、検出転写距離Ｌ２Ｍから帯電転写距離Ｌ１Ｍを差し引いた距離（＝Ｌ２Ｍ−Ｌ１Ｍ）だけ搬送したか否かを判断する。なお、ＣＰＵ４１は、例えば搬送機構４の駆動源であるステッピングモータに与えるステップ数や搬送時間などに基づき、搬送機構４が、シートＷを各距離だけ搬送したか否かを判断することができる。
【００６４】
ＣＰＵ４１は、搬送機構４が未だシートＷを上記距離（＝Ｌ２Ｍ−Ｌ１Ｍ）だけ搬送していないとき、先端部分が帯電開始位置Ｘ３Ｍに到達しないと判断し（Ｓ２２：ＮＯ）、待機する。一方、ＣＰＵ４１は、搬送機構４がシートＷを上記距離（＝Ｌ２Ｍ−Ｌ１Ｍ）だけ搬送したとき、先端部分が帯電開始位置Ｘ３Ｍに到達したと判断する（Ｓ２２：ＹＥＳ）。これに応じて、図６の上から４段目のタイムチャートに示すように、ＣＰＵ４１は、バイアス印加部４８に、帯電器３３Ｍに対して、先端帯電バイアスＶＣ２を印加する動作を開始させる（Ｓ２３  図６のＴ２参照）。
【００６５】
これにより、吸着処理において、後述する先端吸着バイアスＶＴ２等が印加される転写ローラ２４Ｍに対向する感光ドラム３４Ｍを帯電させない場合に比べて、感光ドラム３４Ｍが劣化することを抑制することができる。Ｓ２３の処理は非形成帯電処理の一例である。先端帯電バイアスＶＣ２は、非形成帯電処理時における帯電バイアスの一例であり、上記印刷時帯電バイアスＶＣ１に対して絶対値が同じでも小さくてもよく、シートＷをベルト２３に電気的に吸着できる程度の大きさであればよい。但し、先端帯電バイアスＶＣ２が、印刷時帯電バイアスＶＣ１よりも小さければ、印刷時帯電バイアスＶＣ１と同じである場合に比べて、電力消費を抑制することができる。
【００６６】
ＣＰＵ４１は、先端帯電バイアスＶＣ２の印加開始後、先端部分が帯電開始位置Ｘ３Ｍを通過したか否かを判断する（Ｓ２４）。具体的には、ＣＰＵ４１は、先端部分が帯電開始位置Ｘ３Ｍに到達したと判断した時点から（Ｓ２２：ＹＥＳ）、搬送機構４が、シートＷを、未だ搬送方向における先端部分の幅寸法ＬＦだけ搬送していないとき、先端部分が帯電開始位置Ｘ３Ｍを通過していないと判断し（Ｓ２４：ＮＯ）、待機する。
【００６７】
一方、ＣＰＵ４１は、先端部分が帯電開始位置Ｘ３Ｍに到達したと判断した時点から（Ｓ２２：ＹＥＳ）、搬送機構４が、シートＷを、上記幅寸法ＬＦだけ搬送したとき、先端部分が帯電開始位置Ｘ３Ｍを通過したと判断する（Ｓ２４：ＹＥＳ）。これに応じて、図６の上から４段目のタイムチャートに示すように、ＣＰＵ４１は、バイアス印加部４８に、帯電器３３Ｍに対して、中間帯電バイアスＶＣ３を印加する動作に切り替えさせる（Ｓ２５  図６のＴ３参照）。中間帯電バイアスＶＣ３は、先端帯電バイアスＶＣ２に対して絶対値が同じでも小さくてもよい。また、ＣＰＵ４１は、Ｓ２５で、バイアス印加部４８に、帯電器３３Ｍに対してバイアスを印加することを停止させてもよい。
【００６８】
ＣＰＵ４１は、中間帯電バイアスＶＣ３の印加開始後、先端部分が転写位置Ｘ１Ｍに到達したか否かを判断する（Ｓ２６）。具体的には、ＣＰＵ４１は、シートＷの先端が検出位置Ｘ２に到達したと判断した時点から、搬送機構４が、未だシートＷを検出転写距離Ｌ２Ｍだけ搬送していないとき、先端部分が転写位置Ｘ１Ｍに到達しないと判断し（Ｓ２６：ＮＯ）、待機する。
【００６９】
一方、ＣＰＵ４１は、シートＷの先端が検出位置Ｘ２に到達したと判断した時点から、搬送機構４が、シートＷを検出転写距離Ｌ２Ｍだけ搬送したとき、先端部分が転写位置Ｘ１Ｍに到達したと判断する（Ｓ２６：ＹＥＳ）。これに応じて、図６の上から５段目のタイムチャートに示すように、ＣＰＵ４１は、バイアス印加部４８に、転写ローラ２４Ｍに対して、先端吸着バイアスＶＴ２を印加する動作を開始させる（Ｓ２７  図６のＴ４参照）。これにより、ベルト２３が負極の電荷を付与して、このベルト２３にシートＷの先端側が電気的に吸着される。Ｓ２７の処理は先端処理および先端工程の一例であり、先端吸着バイアスＶＴ２は吸着バイアスの一例である。
【００７０】
先端吸着バイアスＶＴ２は、シートＷをベルト２３に電気的に吸着可能な大きさであり、転写バイアスＶＴ１に対して絶対値が同じでも小さくてもよい。但し、後者であれば、先端吸着バイアスＶＴ２が転写バイアスＶＴ１と同じである場合に比べて、電力消費を抑制することができる。
【００７１】
ＣＰＵ４１は、先端吸着バイアスＶＴ２の印加開始後、先端部分が転写位置Ｘ１Ｍを通過したか否かを判断する（Ｓ２８）。具体的には、ＣＰＵ４１は、先端部分が転写位置Ｘ１Ｍに到達したと判断した時点から（Ｓ２６：ＹＥＳ）、搬送機構４が、未だシートＷを上記幅寸法ＬＦだけ搬送していないとき、先端部分が転写位置Ｘ１Ｍを通過していないと判断し（Ｓ２８：ＮＯ）、待機する。
【００７２】
一方、ＣＰＵ４１は、先端部分が転写位置Ｘ１Ｍに到達したと判断した時点から（Ｓ２６：ＹＥＳ）、搬送機構４が、シートＷを上記幅寸法ＬＦだけ搬送したとき、先端部分が転写位置Ｘ１Ｍを通過したと判断する（Ｓ２８：ＹＥＳ）。これに応じて、図６の上から５段目のタイムチャートに示すように、ＣＰＵ４１は、バイアス印加部４８に、転写ローラ２４Ｍに対して、中間吸着バイアスＶＴ３を印加する動作に切り替えさせる（Ｓ２９  図６のＴ５参照）。中間吸着バイアスＶＴ３は吸着バイアスの一例である。
【００７３】
中間吸着バイアスＶＴ３は、先端吸着バイアスＶＴ２よりも絶対値が小さい。ベルト２３上において上記先端部分と、シートＷの後端が位置すると想定される後端部分との間の任意の位置が中間部分の一例であり、Ｓ２９の処理は中間処理、中間工程の一例である。
【００７４】
ＣＰＵ４１は、中間吸着バイアスＶＴ３の印加開始後、ベルト２３のうち、シートＷの後端が位置することが想定される後端部分が帯電開始位置Ｘ３Ｍに到達したか否かを判断する（Ｓ３０）。具体的には、ＣＰＵ４１は、センサ７からの検出信号に基づき、シートＷの後端が検出位置Ｘ２に到達した否かを判断する。
【００７５】
そして、ＣＰＵ４１は、シートＷの後端が検出位置Ｘ２に到達したと判断した時点から（図６のＴ６参照）、搬送機構４が、シートＷを、検出転写距離Ｌ２Ｍから帯電転写距離Ｌ１Ｍおよび後端部分の幅寸法ＬＢを差し引いた距離（＝Ｌ２Ｍ−Ｌ１Ｍ−ＬＢ）だけ搬送したか否かを判断する。なお、後端部分の幅寸法ＬＢは、先端部分の幅寸法ＬＦに対して同等でもよいし、短くてもよい。
【００７６】
ＣＰＵ４１は、搬送機構４が、未だシートＷを上記距離（＝Ｌ２Ｍ−Ｌ１Ｍ−ＬＢ）だけ搬送していないとき、後端部分が帯電開始位置Ｘ３Ｍに到達しないと判断し（Ｓ３０：ＮＯ）、待機する。一方、ＣＰＵ４１は、搬送機構４がシートＷを上記距離（＝Ｌ２Ｍ−Ｌ１Ｍ−ＬＢ）だけ搬送したとき、後端部分が帯電開始位置Ｘ３Ｍに到達したと判断する（Ｓ３０：ＹＥＳ）。これに応じて、図６の上から４段目のタイムチャートに示すように、ＣＰＵ４１は、バイアス印加部４８に、帯電器３３Ｍに対して、後端帯電バイアスＶＣ４を印加する動作を開始させる（Ｓ３１  図６のＴ７参照）。
【００７７】
これにより、吸着処理において、後述する後端吸着バイアスＶＴ４等が印加される転写ローラ２４Ｍに対向する感光ドラム３４Ｍを帯電させない場合に比べて、感光ドラム３４Ｍが劣化することを抑制することができる。後端帯電バイアスＶＣ４は、上記印刷時帯電バイアスＶＣ１に対して絶対値が同じでも小さくてもよく、さらに、先端帯電バイアスＶＣ２に対して絶対値が小さくてもよく、シートＷをベルト２３に電気的に吸着できる程度の大きさであればよい。但し、後端帯電バイアスＶＣ４が、印刷時帯電バイアスＶＣ１や先端帯電バイアスＶＣ２よりも小さければ、電力消費を抑制することができる。
【００７８】
ＣＰＵ４１は、後端帯電バイアスＶＣ４の印加開始後、後端部分が帯電開始位置Ｘ３Ｍを通過したか否かを判断する（Ｓ３２）。具体的には、ＣＰＵ４１は、後端部分が帯電開始位置Ｘ３Ｍに到達したと判断した時点から（Ｓ３０：ＹＥＳ）、搬送機構４が、未だシートＷを上記幅寸法ＬＢだけ搬送していないとき、後端部分が帯電開始位置Ｘ３Ｍを通過していないと判断し（Ｓ３２：ＮＯ）、待機する。
【００７９】
一方、ＣＰＵ４１は、後端部分が帯電開始位置Ｘ３Ｍに到達したと判断した時点から（Ｓ３０：ＹＥＳ）、搬送機構４が、シートＷを上記幅寸法ＬＢだけ搬送したとき、後端部分が帯電開始位置Ｘ３Ｍを通過したと判断する（Ｓ３２：ＹＥＳ）。これに応じて、図６の上から４段目のタイムチャートに示すように、ＣＰＵ４１は、バイアス印加部４８に、帯電器３３Ｍに対して、バイアスＶＣを印加する動作を停止させる（Ｓ３３  図６のＴ８参照）。
【００８０】
ＣＰＵ４１は、バイアスＶＣの停止後、後端部分が転写位置Ｘ１Ｍに到達したか否かを判断する（Ｓ３４）。具体的には、ＣＰＵ４１は、シートＷの後端が検出位置Ｘ２に到達したと判断した時点から、搬送機構４が、シートＷを、検出転写距離Ｌ２Ｍから後端部分の幅寸法ＬＢを差し引いた距離（＝Ｌ２Ｍ−ＬＢ）だけ搬送していないとき、後端部分が転写位置Ｘ１Ｍに到達しないと判断し（Ｓ３４：ＮＯ）、待機する。
【００８１】
一方、ＣＰＵ４１は、シートＷの後端が検出位置Ｘ２に到達したと判断した時点から、搬送機構４が、シートＷを上記距離（＝Ｌ２Ｍ−ＬＢ）だけ搬送したとき、後端部分が転写位置Ｘ１Ｍに到達したと判断する（Ｓ３４：ＹＥＳ）。これに応じて、図６の上から５段目のタイムチャートに示すように、ＣＰＵ４１は、バイアス印加部４８に、転写ローラ２４Ｍに対して、後端吸着バイアスＶＴ４を印加する動作を開始させる（Ｓ３５  図６のＴ９参照）。これにより、シートＷの後端側がベルト２３に電気的に吸着されるため、後端部分を帯電させない場合に比べて、シートを安定して搬送することができる。Ｓ３５の処理は後端処理の一例であり、後端吸着バイアスＶＴ４は吸着バイアスの一例である。
【００８２】
後端吸着バイアスＶＴ４は、シートＷをベルト２３に電気的に吸着可能な大きさであり、転写バイアスＶＴ１に対して絶対値が同じでも小さくてもよく、さらに、先端吸着バイアスＶＴ２に対して絶対値が小さくてもよい。但し、後端吸着バイアスＶＴ４が転写バイアスＶＴ１よりも小さければ、電力消費を抑制することができる。
【００８３】
ＣＰＵ４１は、後端吸着バイアスＶＴ４の印加開始後、後端部分が転写位置Ｘ１Ｍを通過したか否かを判断する（Ｓ３６）。具体的には、ＣＰＵ４１は、後端部分が転写位置Ｘ１Ｍに到達したと判断した時点から（Ｓ３４：ＹＥＳ）、搬送機構４が、未だシートＷを上記幅寸法ＬＢだけ搬送していないとき、後端部分が転写位置Ｘ１Ｍを通過していないと判断し（Ｓ３６：ＮＯ）、待機する。
【００８４】
一方、ＣＰＵ４１は、後端部分が転写位置Ｘ１Ｍに到達したと判断した時点から（Ｓ３４：ＹＥＳ）、搬送機構４が、シートＷを上記幅寸法ＬＢだけ搬送したとき、後端部分が転写位置Ｘ１Ｍを通過したと判断する（Ｓ３６：ＹＥＳ）。これに応じて、図６の上から５段目のタイムチャートに示すように、ＣＰＵ４１は、バイアス印加部４８に、転写ローラ２４Ｍに対して、バイアスＶＴを印加する動作を停止させ（Ｓ３７  図６のＴ１０参照）、図３のＳ４に進む。
【００８５】
ここで、上述したように、先端部分が帯電開始位置Ｘ３Ｍに到達したとき（Ｓ２２：ＹＥＳ）、帯電器３３Ｍに対する先端帯電バイアスＶＣ２の印加が開始され（Ｓ２３）、先端部分が転写位置Ｘ１Ｍに到達したとき（Ｓ２６：ＹＥＳ）、転写ローラ２４Ｍに対する先端吸着バイアスＶＴ２の印加が開始される（Ｓ２７）。即ち、感光ドラム３４Ｍのうち帯電された範囲と、先端部分とが略同時に転写位置Ｘ１Ｍに到達する。
【００８６】
また、後端部分が帯電開始位置Ｘ３Ｍを通過したとき（Ｓ３２：ＹＥＳ）、帯電器３３Ｍに対するバイアスＶＣの印加が停止され（Ｓ３３）、後端部分が転写位置Ｘ１Ｍを通過したとき（Ｓ３６：ＹＥＳ）、転写ローラ２４Ｍに対するバイアスＶＴの印加が停止される（Ｓ３７）。即ち、感光ドラム３４Ｍのうち帯電された範囲と、後端部分とが略同時に転写位置Ｘ１Ｍを通過する。これにより、感光ドラム３４Ｍの帯電範囲とベルト２３の帯電範囲とを転写位置Ｘ１Ｍにて過不足無く重ねることができ、吸着処理に使用する電力消費を、より効果的に抑制することができる。
【００８７】
図４のＳ１１、Ｓ１２で、ＣＰＵ４１は、転写ローラ２４Ｍが、印刷処理の使用対象でなく、且つ、印刷処理の使用対象である転写ローラ２４よりも搬送方向の上流に位置しないと判断したことに応じて（Ｓ１１：ＮＯ、且つ、Ｓ１２：ＮＯ）、逆転写抑制処理を実行する。
【００８８】
具体的には、図６の上から６段目のタイムチャートに示すように、ＣＰＵ４１は、バイアス印加部４８に、転写ローラ２４Ｍに対して、逆転写抑制バイアスＶＴ５を印加する動作を開始させる（Ｓ１４）。逆転写抑制バイアスＶＴ５は、転写バイアス以下のバイアスの一例であり、転写バイアスＶＴ１や吸着バイアスＶＴ２〜ＶＴ４に対して絶対値が同じでも小さくしてもよく、シートＷからトナーが感光ドラム３４Ｍに付着することを抑制することが可能な程度の大きさであればよい。Ｓ１４の処理は下流側処理の一例である。
【００８９】
これにより、上流の転写ローラ２４Ｋ、２４ＹによってシートＷに転写されたトナーが、感光ドラム３４Ｍに逆転写することを抑制することができる。ＣＰＵ４１は、Ｓ１４の処理の実行後、図３のＳ４に進む。
【００９０】
図３のＳ４では、ＣＰＵ４１は、印刷命令で指定された印刷枚数分、シートに対する印刷処理を完了したか否かを判断する。ＣＰＵ４１は、印刷処理を完了していないと判断したことに応じて（Ｓ４：ＮＯ）、Ｓ３に戻り、次のシートＷに対してバイアス制御処理を開始する。一方、ＣＰＵ４１は、印刷処理を完了したと判断したことに応じて（Ｓ４：ＹＥＳ）、バイアス印加部４８にバイアスＶＣ、ＶＴの印加を停止させ、また、搬送機構４にシートＷの搬送動作を停止させ（Ｓ５）、Ｓ１に戻る。
【００９１】
ベルト２３のうち上記中間部分は、上記先端部分に比べて、シートが不安定になりにくく、先端部分と同等の大きさの吸着バイアスによって電荷を付与する必要性は低い。そこで、本実施形態によれば、中間部分が転写位置Ｘ１にあるとき、先端部分が転写位置Ｘ１にあるときよりも吸着バイアスを小さくする。これにより、ベルトのうち搬送部分の全長に亘って、一定の吸着バイアスを印加する構成に比べて電力消費を抑制しつつ、シートを安定して搬送することができる。
【００９２】
また、印刷処理の使用対象でない転写ローラ２４に対して吸着処理が実行される（図４のＳ１１参照）。これにより、一部の転写ローラ２４によってトナー像をシートＷに転写させつつ、他の転写ローラ２４によって、電力消費を抑制しつつ、シートを安定して搬送することができる。
【００９３】
更に、印刷処理の使用対象の転写ローラ２４よりも上流に位置する転写ローラ２４に対して吸着処理が実行される（図４のＳ１２参照）。これにより、上流の転写ローラ２４によってシートＷの搬送を安定させた後に、下流の転写ローラ２４によってトナー像をシートに転写させることができる。
【００９４】
本明細書で開示される技術は上記記述及び図面によって説明した実施形態に限定されるものではなく、例えば次のような種々の態様も含まれる。
【００９５】
「画像形成装置」は、直接転写タンデム方式のカラーレーザプリンタに限らず、例えば中間転写方式や、４サイクル方式など他の方式の画像形成装置でもよい。また、画像形成装置は、カラーの画像形成装置のみならず、モノクロ専用の画像形成装置でもよい。また、画像形成装置は、ポリゴンスキャニング方式以外の電子写真方式、例えばＬＥＤ方式などでもよい。更に、画像形成装置は、インクジェット方式でもよい。更に、画像形成装置は、プリンタ単体、コピー機、ファクシミリ装置、複合機でもよい。
【００９６】
また、プリンタ１は、正帯電性のトナーを使用して印刷を行う構成であったが、これに限らず、負帯電性のトナーを使用して印刷する構成でもよい。この構成の場合、上記バイアスＶＣが負極性であり、バイアスＶＴが正極性になる。
【００９７】
「像担持体」は、感光ドラム５２等の感光体に限らず、中間転写体などでもよい。
【００９８】
「吸着部」は、転写体に限らず、ベルト２３に対向して配置される吸着ローラおよび電荷付与部でもよい。
【００９９】
「制御部」は、１つのＣＰＵ４１により図３〜５の各処理を実行する構成であった。しかし、これに限らず、制御部は、複数のＣＰＵにより図３等の各処理を実行する構成、ＡＳＩＣ４５などの専用のハード回路のみにより図３等の各処理を実行する構成や、ＣＰＵおよびハード回路により図３等の各処理を実行する構成でもよい。
【０１００】
図４のバイアス処理において、ＣＰＵ４１は、ブラックに対応するプロセス部３１Ｋに対して、印刷処理の使用対象でないと判断したことに応じて（Ｓ１１：ＮＯ）、Ｓ１２の処理をせずに、Ｓ１３の処理に進んでもよい。また、ＣＰＵ４１は、シアンに対応するプロセス部３１Ｃに対して、印刷処理の使用対象でないと判断したことに応じて（Ｓ１１：ＮＯ）、Ｓ１２の処理を実行せずに、Ｓ１４に進んでもよい。
【０１０１】
図４のバイアス処理において、ＣＰＵ４１は、転写ローラ２４Ｍが印刷処理の使用対象でないと判断したことに応じて（Ｓ１１：ＮＯ）、Ｓ１２の処理をせずに、Ｓ１３に進んでもよい。また、吸着処理の実行条件は、Ｓ１１、Ｓ１２の条件に限らず、例えば、転写ローラが、全ての転写ローラ２４Ｋ〜２４Ｃのうち最上流に位置することでもよい。また、ＣＰＵ４１は、吸着処理の実行条件を満たす転写ローラ２４が複数ある場合、それらの全てに対して吸着処理を実行しなくてもよい。例えば、ＣＰＵ４１は、吸着処理の実行条件を満たす複数の転写ローラ２４のうち、シートＷの搬送が不安定になり易い、上流側の転写ローラ２４だけ吸着処理を実行してもよい。
【０１０２】
シートＷは、搬送方向の上流側に位置する転写ローラ２４によって電荷が付与されるため、下流側に位置する転写ローラ２４では吸着バイアスによる吸着力を弱めても、シートＷの搬送が不安定になりにくい。そこで、ＣＰＵ４１は、吸着処理の実行条件を満たす転写ローラ２４が複数ある場合、下流側に位置する転写ローラ２４ほど、吸着バイアスＶＴ２〜ＶＴ４を小さくすること、および、吸着バイアスＶＴ２〜ＶＴ４によって電荷が付与されるベルト２３の範囲を狭くすることの少なくとも一方を行ってもよい。これにより、電力消費を抑えつつ、シートを安定して搬送することができる。
【０１０３】
先端処理および中間処理、即ち、図５の吸着処理は、受付部４７が印刷命令を受け付けない場合に実行されてもよい。例えばプリンタ１のエラー発生した際など、印刷処理をせずにシートＷを搬送して排出する場合がある。吸着処理は、このような場合に実行されてもよい。この場合、ＣＰＵ４１は、Ｓ１１，Ｓ１２の処理をせずにＳ１３に進んでもよい。
【０１０４】
図５の吸着処理において、ＣＰＵ４１は、Ｓ２１の処理をせずに、Ｓ２２に進んでもよい。
【０１０５】
図５のＳ２９で、ＣＰＵ４１は、バイアス印加部４８に、転写ローラ２４Ｍに対してバイアスを印加することを停止させてもよい。シートＷの中間は、先端や後端に比べて、転写ローラ２４に巻きつくなど、搬送が不安定になる可能性が低いからである。これにより、電力消費を、より効果的に抑制することができる。
【０１０６】
図４のＳ１４では、ベルト２３のうち、シートＷ全体が位置する搬送部分、またはその一部が転写位置Ｘ１を通過しているときだけ、バイアス印加部４８が、転写ローラ２４Ｍに対して[0]、逆転写抑制バイアスＶＴ５を印加してもよい。また、Ｓ１４では、バイアス印加部４８は、更に、帯電器３３Ｍに対してバイアスＶＣを印加してもよい。
【０１０７】
図５の吸着処理において、バイアス印加部４８は、転写ローラ２４Ｍに対応する帯電器３３ＭにバイアスＶＣを印加しなくてもよい。転写ローラ２４Ｍに吸着バイアスＶＴ２等を印加しても、シートＷの抵抗成分によって、感光ドラム３４Ｍの劣化が抑制され得るからである。これより、帯電器３３ＭにバイアスＶＣを印加する場合に比べて、電力消費を抑えつつ、感光ドラム３４Ｍの劣化を抑制することができる。
【符号の説明】
【０１０８】
１：プリンタ  ２３：ベルト  ２４：転写ローラ  ３４：感光ドラム  ３３：帯電器  ４８：バイアス印加部  Ｗ：シート  Ｘ１：転写位置
【図１】
2015161923.tif 000003
【図２】
2015161923.tif 000004
【図３】
2015161923.tif 000005
【図４】
2015161923.tif 000006
【図５】
2015161923.tif 000007
【図６】
2015161923.tif 000008